(57)【要約】【課題】簡単な構造で可動体の保持構造のクリック感と安定した保持力を保つようにする。【解決手段】ホルダー部６を板金６ａが樹脂部６ｂにインサート成形されたもので構成する。表示プレート１２を保持するための保持部１５を表示プレート１２の基端側に形成する。樹脂部６ｂに表示プレート１２の一対の側面が摺接する一対のレール部２０を設け、このレール部２０の先端に保持部１５が係合する表示プレート１２を保持する被係合部２２を設ける。被係合部２２の下面と板金６ａの表面との間で樹脂を結合せず、被係合部２２を板金６ａに対して移動可能とする。【選択図】図４
2015177287.tif 000002
【特許請求の範囲】
【請求項１】
収納可能な可動体を有する携帯端末において、
上記可動体を出し入れするための可動体用開口を有する筐体と、
上記可動体用開口内側に設けられ、上記可動体をスライド可能に収容するホルダー部とを備え、
上記ホルダー部は、板金が樹脂部にインサート成形されたものよりなり、
上記可動体の基端側には、該可動体を保持するための保持部が形成され、
上記樹脂部は、上記可動体の一対の側面が摺接する一対のレール部を備え、該レール部の基端には、上記保持部が係合することにより、上記可動体を保持する被係合部が設けられており、
上記被係合部の下面と上記板金の表面との間では、樹脂が結合されず、該被係合部は、該板金に対して移動可能に構成されている
ことを特徴とする携帯端末。
【請求項２】
請求項１に記載の携帯端末において、
上記保持部は、上記可動体の一対の側面にそれぞれ凹陥した凹部よりなり、
上記被係合部は、上記凹部に係合する突部よりなり、
一対の上記突部が上記可動体の一対の側面に押されてそれぞれ反対方向に広がることにより、上記可動体の抜き差しが可能となっている
ことを特徴とする携帯端末。
【発明の詳細な説明】
【技術分野】
【０００１】
本発明は、識別番号が表示された表示プレート等の可動体を有する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。このＩＭＥＩ、製造番号等の重要情報は、筐体内のいずれかに設けた可動体に記載されることが知られている。
【０００３】
なお、メモリーカードのカードホルダーを出し入れする構造としては、例えば特許文献１のように、金属製の補強タブによって樹脂製の案内壁に剛性と弾性とを与えるものが知られている。
【先行技術文献】
【特許文献】
【０００４】
【特許文献１】特開２００６−５９６５９号公報
【発明の概要】
【発明が解決しようとする課題】
【０００５】
特許文献１では、カードホルダー側の当接片を変形させてクリック感が得られるようにしているが、可動体自体が薄い場合など、出し入れを繰り返すうちに当接片が摩耗して適度なクリック感と安定した保持力が得られないようになるという問題がある。
【０００６】
本発明は、かかる点に鑑みてなされたものであり、その目的とするところは、簡単な構造で可動体の保持構造のクリック感と安定した保持力を保つようにすることにある。
【課題を解決するための手段】
【０００７】
上記の目的を達成するために、この発明では、樹脂部よりなる被係合部と板金との結合を行わないようにした。
【０００８】
具体的には、本発明では、収納可能な可動体を有する携帯端末を前提とし、この携帯端末は、
上記可動体を出し入れするための可動体用開口を有する筐体と、
上記可動体用開口内側に設けられ、上記可動体をスライド可能に収容するホルダー部とを備え、
上記ホルダー部は、板金が樹脂部にインサート成形されたものよりなり、
上記可動体の基端側には、該可動体を保持するための保持部が形成され、
上記樹脂部は、上記可動体の一対の側面が摺接する一対のレール部を備え、該レール部の基端には、上記保持部が係合することにより、上記可動体を保持する被係合部が設けられており、
上記被係合部の下面と上記板金の表面との間では、樹脂が結合されず、該被係合部は、該板金に対して移動可能に構成されている。
【０００９】
すなわち、通常のインサート成形では、樹脂部と板金とが板金の設けた貫通孔等により、アンカー効果で樹脂部と板金とが結合されるが、上記の構成によると、あえてレール部の基端の被係合部を板金と結合させないことで、被係合部の柔軟性を上げ、クリック感と安定した保持力を得やすくしている。
【発明の効果】
【００１０】
以上説明したように、本発明によれば、被係合部の下面と板金の表面との間で樹脂を結合させず、被係合部を板金に対して移動可能としたことにより、簡単な構造で可動体の保持構造のクリック感と安定した保持力を保つことができる。
【図面の簡単な説明】
【００１１】
【図１】表示プレート及びその周辺の基板ホルダーを拡大して示す正面図であり、（ａ）が表示プレートを収容した状態で、（ｂ）が表示プレートを省略した状態であり、（ｃ）が（ｂ）のＩc−Ｉc線拡大断面図である。
【図２】本発明の実施形態に係る携帯電話機及びその一部を拡大して示す斜視図である。
【図３】携帯電話機を示す分解斜視図である。
【図４】表示プレート及びその周辺の基板ホルダーを拡大して示す斜視図であり、（ａ）が表示プレートを収容した状態で、（ｂ）が表示プレートを引き出した状態である。
【図５】従来技術に係る表示プレート及びその周辺の基板ホルダーを拡大して示す斜視図であり、（ａ）が表示プレートを収容した状態で、（ｂ）が表示プレートを引き出した状態である。
【図６】従来技術に係る表示プレート及びその周辺の基板ホルダーを拡大して示す正面図であり、（ａ）が表示プレートを収容した状態で、（ｂ）が表示プレートを省略した状態であり、（ｃ）が（ｂ）のVIc−VIc線拡大断面図である。
【発明を実施するための形態】
【００１２】
以下、本発明の実施形態を図面に基づいて説明する。
【００１３】
図２及び図３は本発明の実施形態の携帯端末としての携帯電話機１（スマートフォン）を示し、この携帯電話機１は、例えばタッチパネルを含む液晶表示部２を収容する、筐体３を備え、この筐体３の背面側が板状の背面パネル４で覆われている。筐体３の背面上側には、メイン基板５が収容されている。メイン基板５は、ホルダー部６で覆われて筐体３に固定されている。ホルダー部６は、板金６ａと樹脂部６ｂとがインサート成形されたものよりなり、このホルダー部６の背面側には、サブ基板７も固定されている。ホルダー部６の下方には、矩形板状のバッテリ８が収容されている。
【００１４】
詳しくは図示しないが、例えば、メイン基板５の背面上側にＳＩＭカード９を出し入れ可能なカード用コネクタ１０が取り付けられている。筐体３の上端に開口した例えば長円形状の可動体用開口としてのプレート用開口３ａからＳＩＭカード９及びＳＤカードのいずれも出し入れ可能となっている。プレート用開口３ａは、図示しないコネクタカバーによって塞がれて防水及び防塵されている。
【００１５】
そして、ＳＩＭカード９側のホルダー部６に例えば樹脂成形品よりなる可動体としての表示プレート１２が挿入されている。図１及び図４にも示すように、表示プレート１２には、ＩＭＥＩ、製造番号等の重要情報が記載されたラベル１３が貼り付けられている。なお、ラベル１３を貼り付けるのではなく、印刷、刻印等によって表示プレート１２の表面に直接重要情報を記載するようにしてもよい。例えば、表示プレート１２の上端には、爪を掛けて引き出すための長円形状の爪掛け用孔部１４が形成されている。
【００１６】
図１及び図４に示すように、表示プレート１２は、ホルダー部６に設けた一対のレール部２０内を上下にスライドさせて出し入れ可能に構成されている。この一対のレール部２０の上端には、左右方向に向かい合うように抜け止め部２１が設けられている。レール部２０の下端（基端）には、左右に突出する被係合部２２が形成されている。被係合部２２は、正面から見て円弧状の丸みを有している。
【００１７】
一方、表示プレート１２の基端（下端）側には、円弧状に切り欠かれた保持部１５が形成されている。そして、上記被係合部２２と表示プレート１２の保持部１５とが係合することにより、表示プレート１２が収納位置に保持されるようになっている。
【００１８】
また、保持部１５の更に下側の基端には、ストッパ部１６が突出している。このストッパ部１６が抜け止め部２１に引っ掛かることによって、表示プレート１２が抜け出さないようになっている。
【００１９】
そして、本発明の特徴として、レール部２０の被係合部２２側は、図１（ｂ）の範囲Ａで示す部分は、図１（ｃ）に拡大して示すように、樹脂部６ｂと板金６ａとが貫通孔等によって結合されていない。一方、範囲Ａ以外のレール部２０は、樹脂部６ｂと板金６ａとが貫通孔等によって結合されている。
【００２０】
すなわち、図５及び図６に比較のために示す従来のホルダー部１０６では、図６（ｃ）に示すように、被係合部１２２における樹脂部１０６ｂは、板金１０６ａに形成した貫通孔１０６ｃに入り込んだアンカー部１０６ｄにより堅固に結合されている。このため、図５（ｂ）のレール部１２０間を進んできた表示プレート１１２が被係合部１２２に当接したときにも、被係合部１２２のアンカー部１０６ｄが貫通孔１０６ｃに入り込んでいるので、樹脂部１０６ｂがほとんど撓まない。このため、表示プレート１１２の出し入れを繰り返すうちに、被係合部１２２又は、表示プレート１１２の側面が摩耗してクリック感と安定した保持力が得られなくなる。しかも、樹脂部１０６ｂが撓まないので、被係合部１２２の突出量を小さくせざるを得ず、寸法誤差があったときなどの保持状態の安定性が低くなりやすい上に、すぐに摩耗してクリック感が悪化し、保持力が弱くなるという問題がある。
【００２１】
一方、本実施形態の表示プレート１２では、従来のホルダー部１０６と違って被係合部２２の樹脂部６ｂが板金６ａと結合されていないので、図４（ｂ）のように表示プレート１２のラベル１３を確認した後、再び収納するときに表示プレート１２の下端が被係合部２２に当接すると、一対の対向する被係合部２２が表示プレート１２を通すようにレール部２０の下端側が板金６ａの表面を滑りながら大きく撓む（白抜き矢印で方向を示す）。
【００２２】
そして、円弧状に凹陥された保持部１５が被係合部２２のところにくると、被係合部２２が保持部１５に入り込むようにして大きく撓んでいたレール部２０の下端部が板金６ａの表面を滑りながら元に戻る。このため、従来の被係合部１２２と比べて被係合部２２の大きさをかなり大きくできるので、適度なクリック感と安定した保持力が得られる。また、樹脂部６ｂの柔軟性を利用しているので、被係合部２２及び表示プレート１２の側面が摩耗するのが防止され、長期間にわたって適度なクリック感と安定した保持力を得ることができる。
【００２３】
したがって、本実施形態に係る携帯電話機１によると、簡単な構造で表示プレート１２の保持構造のクリック感と安定した保持力を保つことができる。
【００２４】
（その他の実施形態）
本発明は、上記実施形態について、以下のような構成としてもよい。
【００２５】
すなわち、上記実施形態では、上記実施形態では、表示プレート１２にＩＭＥＩ、製造番号等の重要情報を表示したが、それに限定されず製品の取扱注意事項など他の事項を表示するようにしてもよい。また、可動体は、表示プレートでなくてもレール部２０間をスライド移動できるものであれば特に限定されない。例えば、可動体をＳＩＭカードやＳＤカードを収納するホルダーや、着脱式のカバー等とすることもできる。
【００２６】
また、上記実施形態では、携帯端末は、携帯電話機１としたが、ＰＨＳ（Personal Handy-phone System ）、ＰＤＡ(Personal DigitalAssistant)、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（携帯端末）
２      液晶表示部
３      筐体
３ａ    プレート用開口（可動体用開口）
４      背面パネル
５      メイン基板
６      ホルダー部
６ａ    板金
６ｂ    樹脂部
７      サブ基板
８      バッテリ
９      ＳＩＭカード
１０      カード用コネクタ
１２      表示プレート
１３      ラベル
１４      爪掛け用孔部
１５      保持部
１６      ストッパ部
２０      レール部
２１      抜け止め部
２２      被係合部
１０６      ホルダー部
１０６ａ    板金
１０６ｂ    樹脂部
１０６ｃ    貫通孔
１０６ｄ    アンカー部
１１２      表示プレート（可動体）
１２０      レール部
１２２      被係合部
【図１】
2015177287.tif 000003
【図２】
2015177287.tif 000004
【図３】
2015177287.tif 000005
【図４】
2015177287.tif 000006
【図５】
2015177287.tif 000007
【図６】
2015177287.tif 000008